(57)【要約】【課題】保持シートにある程度の期間保持されていた貼付用のシート部材と保持シートとの粘着性が良すぎるために剥がれ難くなっているような場合等でも、確実にシート部材を保持シートから剥離できるようにすること。【解決手段】先ず、剥離プレート３６の剥離エッジ部３６ａにより、その導入部３６ｂ上を摺接して移動されてくる保持シート３４ａを曲折してシート部材３４ｂをいったん剥離する。次に、シート部材３４ｂがいったん剥離された保持シート３４ａを後段の剥離プレート４０の導入部４０ｂに導いてシート部材３４ｂを保持シート３４ａに貼り付ける。次に、剥離プレート４０の剥離エッジ部４０ａにより、その導入部４０ｂ上を摺接して移動されてくる保持シート３４ａを曲折してシート部材３４ｂの一部を剥離する。そして、吸着手段４４により、当該シート部材３４ｂを吸着して保持シート３４ａから剥離する。【選択図】図４
2009107668.tif 000002
【特許請求の範囲】
【請求項１】
一方の面側に貼付用のシート部材が粘着されている保持シートから該シート部材を剥離する装置であって、
前記保持シートを移動させる移動手段と、
導入部上を摺接して移動されてくる前記保持シートを曲折して前記シート部材の一部を剥離させる剥離エッジ部が先端部に形成されている第１の剥離プレートと、
前記剥離エッジ部の近傍に配置され、前記シート部材の一部が剥離されたときに該シート部材を吸着して前記保持シートから剥離する吸着手段と、
前記第１の剥離プレートの前段に設けられ、導入部上を摺接して移動されてくる前記保持シートを曲折して前記シート部材をいったん剥離させる剥離エッジ部が先端部に形成されている第２の剥離プレートとを備え、
前記第２の剥離プレートを経由してシート部材がいったん剥離された保持シートを前記移動手段により前記第１の剥離プレートの導入部に導いて該シート部材を該保持シートに貼り付けるようにしたことを特徴とするシート部材剥離装置。
【請求項２】
前記第１及び第２の剥離プレートは、該第２の剥離プレートの先端部と該第１の剥離プレートの導入部との間隔が前記保持シート単体の厚さの２倍程度となるように配設されていることを特徴とする請求項１に記載のシート部材剥離装置。
【請求項３】
前記第１及び第２の剥離プレートの各剥離エッジ部は、前記シート部材が粘着された保持シートの他方の面側が摺接する面と、該シート部材が剥離された保持シートの他方の面側が摺接する面とのなす角度が鋭角となるように成形されていることを特徴とする請求項１に記載のシート部材剥離装置。
【請求項４】
前記貼付用のシート部材は、前記保持シートの長手方向に所定の間隔をおいて複数枚粘着されていることを特徴とする請求項１に記載のシート部材剥離装置。
【請求項５】
一方の面側に貼付用のシート部材が粘着されている保持シートから該シート部材を剥離する方法であって、
前段の剥離プレートの先端部に形成された剥離エッジ部により、当該剥離プレートの導入部上を摺接して移動されてくる前記保持シートを曲折して前記シート部材をいったん剥離し、
シート部材がいったん剥離された保持シートを移動手段により後段の剥離プレートの導入部に導いて該シート部材を該保持シートに貼り付けた後、
前記後段の剥離プレートの先端部に形成された剥離エッジ部により、当該剥離プレートの導入部上を摺接して移動されてくる前記保持シートを曲折して前記シート部材の一部を剥離し、
前記シート部材の一部が剥離されたときに該シート部材を吸着手段により吸着して前記保持シートから剥離することを特徴とするシート部材剥離方法。
【発明の詳細な説明】
【技術分野】
【０００１】
本発明は、電子部品等の物品に貼り付けるためのラベルや粘着テープ等の貼付用のシート部材を剥離する技術に関し、より詳細には、一方の面側に貼付用のラベル等が粘着されている台紙やフィルム材等の保持シートを曲折して、その曲折位置のラベル等を保持シートから剥離するシート部材剥離装置及びシート部材剥離方法に関する。
【背景技術】
【０００２】
図１は従来のラベル剥離装置の構成を概略的に示したものであり、複数枚のラベルが長手方向に所定の間隔をおいて粘着されている帯状の台紙（以下、「ラベル付台紙」ともいう。）から１枚ごとにラベルを剥離する場合の装置構成を示している。このラベル剥離装置では、供給ローラ１０に巻回されたラベル付台紙１２（台紙１２ａにラベル１２ｂが粘着されたもの）を、案内ローラ１４を介して剥離プレート１６に誘導し、後述するように剥離プレート１６の先端部を経由してラベル１２ｂが剥離された台紙１２ａを、１対の引取りローラ１８によって引き取り、巻取りローラ２０に巻き取って回収する。剥離プレート１６の先端近傍（ラベル付台紙１２の移動方向の先端部近傍）には、その上方に真空吸着ヘッド２２が上下方向に移動可能に配置されている。この剥離プレート１６には、その先端部が鋭角に曲折されている剥離エッジ部１６ａが形成されている。
【０００３】
このため、図２（ａ）に示すように、剥離プレート１６の水平面に摺接して移動されてきたラベル付台紙１２（帯状の台紙１２ａの摺接面と反対側の面に複数枚のラベル１２ｂが粘着されているもの）は、その剥離エッジ部１６ａによって曲折され、ラベル１２ｂの一部が台紙１２ａから剥離される。この状態で１対の引取りローラ１８の駆動を停止してラベル付台紙１２の移動を停止した後、真空吸着ヘッド２２が降下してラベル１２ｂを吸着して剥離する。
【０００４】
その際、図２（ｂ）に示すように、真空吸着ヘッド２２はラベル１２ｂに近接し、そのラベル１２ｂの台紙１２ａから剥離した一部分を吸着した後、ラベル１２ｂの全体を台紙１２ａから剥離する。真空吸着ヘッド２２によるラベル１２ｂの剥離が終了すると、１対の引取りローラ１８を再駆動し、ラベル１２ｂが剥離された台紙１２ａの引き取りを再開する。
【０００５】
その一方で、ラベル１２ｂを吸着保持した真空吸着ヘッド２２は、図２（ｃ）に示すように、搬送機構（図示せず）により所定の場所（貼付対象物が設置されている場所）まで搬送された後、降下して貼付対象物上にラベル１２ｂを貼り付ける。
【０００６】
このように図１及び図２に示すラベル剥離装置によれば、帯状の台紙１２ａの一面側に複数枚のラベル１２ｂが粘着されたラベル付台紙１２からラベル１２ｂを自動的に剥離して、所定の物品等（貼付対象物）に貼り付けることが可能である。
【０００７】
しかし、近年、台紙の厚さを薄くしてラベル付台紙の巻量の増加等を図ることが行われており、台紙の強度を保持すべく、比較的硬い台紙が使用されつつある。かかる硬い台紙が用いられたラベル付台紙からラベルを剥離しようとすると、剥離プレートの剥離エッジ部で曲折されるラベル付台紙が湾曲状に曲折されて、剥離プレートの剥離エッジ部で剥離されるべきラベルが台紙から剥離されず、真空吸着ヘッドがラベルに近接しても吸着できない場合が起こり得る。
【０００８】
かかる不都合に対処するには、ラベル付台紙が剥離エッジ部で曲折される際の曲率を可及的に小さくすることが有効である。本願出願人は、これを実現した装置構成を以前に提案している（特許文献１）。
【０００９】
この特許文献１に開示されたラベル剥離装置では、一面側に複数枚のラベルが長手方向に所定の間隔をおいて粘着されている台紙を所定方向に移動する移動手段と、前記台紙が曲折されてラベルの一部が台紙から剥離される剥離エッジ部が、前記台紙の移動方向の先端部に形成されている剥離プレートと、前記剥離エッジ部の近傍に設けられ、前記ラベルの一部が台紙から剥離されたとき、前記ラベルを吸着して台紙から剥離する吸着手段とを具備し、さらに、前記剥離エッジ部の先端を挟んで位置する、前記ラベルが粘着された台紙の他面側が摺接する剥離プレートの先端近傍の台紙摺接面と、前記ラベルが剥離された台紙の他面側が摺接する剥離プレートの先端近傍の台紙摺接面とに、前記台紙の各他面側を吸引する複数個の吸引孔が開口されている。かかる吸引孔の存在により、硬い台紙を用いた場合でも剥離エッジ部の先端での台紙の曲率を可及的に小さくできるので、台紙の曲折位置に到達したラベルは、その一部が確実に剥離され得る（図２（ａ）参照）。
【特許文献１】特開２００６−２９０４１２号公報
【発明の開示】
【発明が解決しようとする課題】
【００１０】
上述したように従来の技術では、硬い台紙が用いられたラベル付台紙からラベルを剥離しようとする際に生じる不都合（剥離エッジ部で曲折されるラベル付台紙が湾曲状に曲折されて、ラベルが台紙から剥離されず、真空吸着ヘッドがラベルに近接しても吸着できないという不都合）に対処する一つの方法として、ラベル付台紙が剥離エッジ部で曲折される際の曲率を可及的に小さくするようにした技術が提案されている（特許文献１）。
【００１１】
かかる不都合に対処する別の方法としては、台紙自体の強度を相応に保持する一方で比較的軟らかい材料で形成し、ラベル付台紙全体に軟性をもたせることが考えられる。
【００１２】
しかし、この方法では、剥離エッジ部でラベル付台紙が曲折されたときに、その曲折位置でのラベルが台紙から剥離されずにそのまま台紙と共に巻取りローラ側に回り込んでしまい、当該ラベルを真空吸着ヘッドで吸着（剥離）することができないといった不都合が起こり得る。図３はその場合の様子を模式的に示したものである。図示の例では、既に１枚のラベル１２ｂが巻取りローラ２０側に回り込んでいて、さらに次のラベル１２ｂも、その一部分が真空吸着ヘッド２２で吸着されずに巻取りローラ２０側に回り込もうとしている状態が示されている。
【００１３】
このような課題（曲折位置でのラベルが台紙から剥離されず、そのまま台紙と共に回り込んでしまうこと）は、ラベル付台紙全体が軟らかい場合に限らず、硬い台紙が用いられている場合でもラベルと台紙の粘着性が高ければ、同様に起こり得る。
【００１４】
特に、保持シートとしてＰＥＴ（ポリエチレンテレフタレート）やポリエステル等のフィルム材（キャリアフィルム）を使用し、貼付用シート部材として粘着性の高いテープを使用している場合、経時変化によりテープとキャリアフィルムとの密着性が上がっている可能性が高いので、曲折位置でのテープがキャリアフィルムから剥離されずにそのままキャリアフィルムと共に回り込んでしまう可能性が高くなる。つまり、剥離エッジ部でのテープの剥離が確実に行われず、当該テープを真空吸着ヘッドで吸着保持することができないため、搬送不具合をひき起こしてしまう。
【００１５】
さらに、キャリアフィルムにある程度の期間保持されていたテープは、キャリアフィルムとの粘着性が良すぎて剥がれ難く、しかも、コイル巻きされた状態で保管されているのでその保管時の締め付けにより更に剥がれ難くなっている。
【００１６】
本発明は、上記の従来技術における課題に鑑み創作されたもので、保持シートにある程度の期間保持されていた貼付用のシート部材と保持シートとの粘着性が良すぎるために剥がれ難くなっているような場合等でも、確実にシート部材を保持シートから剥離することができるシート部材剥離装置及びシート部材剥離方法を提供することを目的とする。
【課題を解決するための手段】
【００１７】
上記の従来技術の課題を解決するため、本発明の一形態によれば、一方の面側に貼付用のシート部材が粘着されている保持シートから該シート部材を剥離する装置であって、前記保持シートを移動させる移動手段と、導入部上を摺接して移動されてくる前記保持シートを曲折して前記シート部材の一部を剥離させる剥離エッジ部が先端部に形成されている第１の剥離プレートと、前記剥離エッジ部の近傍に配置され、前記シート部材の一部が剥離されたときに該シート部材を吸着して前記保持シートから剥離する吸着手段と、前記第１の剥離プレートの前段に設けられ、導入部上を摺接して移動されてくる前記保持シートを曲折して前記シート部材をいったん剥離させる剥離エッジ部が先端部に形成されている第２の剥離プレートとを備え、前記第２の剥離プレートを経由してシート部材がいったん剥離された保持シートを前記移動手段により前記第１の剥離プレートの導入部に導いて該シート部材を該保持シートに貼り付けるようにしたことを特徴とするシート部材剥離装置が提供される。
【００１８】
本発明に係るシート部材剥離装置によれば、前段の第２の剥離プレートの剥離エッジ部により、移動されてくる保持シートからシート部材をいったん剥離することで、そのシート部材の保持シートに対する粘着性を低下させている。そして、シート部材がいったん剥離された保持シートを後段の第１のプレートの導入部に導いて、いったん剥離したシート部材を元の保持シートに貼り付けた後（シート部材の貼り直し後）、第１の剥離プレートの剥離エッジ部により、その保持シートからシート部材の一部を剥離し、吸着手段を介して当該シート部材を吸着（剥離）するようにしている。
【００１９】
このように本発明のシート部材剥離装置によれば、前段の剥離プレートにより保持シートからシート部材をいったん剥離して粘着性を弱めた後、シート部材の貼り直しを行うようにしているので、後段の剥離プレートにおいては、当該シート部材の保持シートからの剥離性が向上する。これによって、保持シートにある程度の期間保持されていたシート部材と保持シートとの粘着性が良すぎるために剥がれ難くなっているような場合等でも、当該シート部材を保持シートから確実に剥離することが可能となる。
【００２０】
また、本発明の他の形態によれば、一方の面側に貼付用のシート部材が粘着されている保持シートから該シート部材を剥離する方法であって、前段の剥離プレートの先端部に形成された剥離エッジ部により、当該剥離プレートの導入部上を摺接して移動されてくる前記保持シートを曲折して前記シート部材をいったん剥離し、シート部材がいったん剥離された保持シートを移動手段により後段の剥離プレートの導入部に導いて該シート部材を該保持シートに貼り付けた後、前記後段の剥離プレートの先端部に形成された剥離エッジ部により、当該剥離プレートの導入部上を摺接して移動されてくる前記保持シートを曲折して前記シート部材の一部を剥離し、前記シート部材の一部が剥離されたときに該シート部材を吸着手段により吸着して前記保持シートから剥離することを特徴とするシート部材剥離方法が提供される。
【００２１】
本発明に係るシート部材剥離装置及びシート部材剥離方法の他の構成上の特徴及びそれに基づく有利な利点等については、発明の実施の形態を参照しながら説明する。
【発明を実施するための最良の形態】
【００２２】
図４は本発明の一実施形態に係るシート部材剥離装置の構成を断面図の形態で模式的に示したものである。
【００２３】
本実施形態に係るシート部材剥離装置３０は、基本的には図１に示した装置構成と同様の構成を有している。すなわち、剥離対象の貼付用のシート部材３４ｂを保持した保持シート３４ａがロール状に巻回されている供給ローラ３２と、この供給ローラ３２から引き出されて移動されてくるシート部材３４ｂの付いた保持シート３４ａを案内するための案内ローラ（図１の案内ローラ１４に相当）と、この案内ローラを介して移動されてくるシート部材３４ｂの付いた保持シート３４ａからシート部材３４ｂを剥離するための剥離プレート４０と、この剥離プレート４０の先端部を経由してシート部材３４ｂが剥離された保持シート３４ａを引き取るための引取りローラ（図１の引取りローラ１８に相当）と、この引取りローラを介して搬送されてくる保持シート３４ａを巻き取るための巻取りローラ４２と、剥離プレート４０の先端部の近傍の上方に上下方向に移動可能に配置された真空吸着ヘッド４４とを備えている。
【００２４】
さらに、本発明を特徴付ける構成として、剥離プレート４０の前段に予備的な剥離プレート３６が配設されており、この剥離プレート３６には、その先端部が鋭角に曲折されている剥離エッジ部３６ａが形成されている。剥離プレート３６の導入部３６ｂ上を摺接して移動されてくるシート部材３４ｂの付いた保持シート３４ａは、剥離エッジ部３６ａで曲折されて、シート部材３４ｂが保持シート３４ａからいったん剥離される。この一時的な剥離を行わせるために、剥離プレート３６と剥離プレート４０との間に案内ローラ３８が介在されている。つまり、剥離プレート３６の剥離エッジ部３６ａでシート部材３４ｂがいったん剥離された保持シート３４ａは、案内ローラ３８を介して後段の剥離プレート４０の導入部４０ｂに導かれる。そして、この導入部４０ｂにおいて、いったん剥離されたシート部材３４ｂが元の保持シート３４ａに再度貼り付けられるようになっている。
【００２５】
後段の剥離プレート４０にも、その先端部が鋭角に曲折されている剥離エッジ部４０ａが形成されており、剥離プレート４０の導入部４０ｂ上を摺接して移動されてくるシート部材３４ｂの付いた保持シート３４ａは、その剥離エッジ部４０ａで曲折されて、図示のようにシート部材３４ｂの一部が保持シート３４ａから剥離される。剥離プレート４０の先端部（剥離エッジ部４０ａ）の近傍に配置された真空吸着ヘッド４４は、図２に例示したように、シート部材３４ｂの一部が剥離されたときに当該シート部材３４ｂを吸着して保持シート３４ａから剥離する。
【００２６】
本発明を特徴付ける前段の剥離プレート３６及び本来の剥離プレート４０は、ステンレス鋼（ＳＵＳ）から形成されており、三角錐の形状に成形されている。各プレート３６，４０の先端部（剥離エッジ部３６ａ，４０ａ）は、一方の面側にシート部材３４ｂを保持した保持シート３４ａの他方の面側が摺接する面（水平面）と、シート部材３４ｂが剥離された保持シート３４ａの他方の面側が摺接する面（傾斜面）とのなす角度が、好適には鋭角（３０°〜６０°）となるように成形されている。ただし、前段の剥離プレート３６の剥離エッジ部３６ａについては、案内ローラ３８と協働して一時的な剥離を行うことができれば十分であるので、角度的にはもう少し大きくてもよい（３０°〜９０°）。
【００２７】
また、前段の剥離プレート３６と後段の剥離プレート４０は、前段の剥離プレート３６の先端部（剥離エッジ部３６ａ）と後段の剥離プレート４０の導入部４０ｂとの間隔が、図示のように保持シート３４ａの厚さの２倍程度となるように配設されている。例えば、保持シート３４ａの厚さが０．１ｍｍの場合、当該間隔が０．２ｍｍ程度となるように各プレート３６，４０を配置する。このような特定の間隔で配置することにより、各プレート３６，４０間に隙間が無くなり、剥離プレート３６の剥離エッジ部３６ａでいったん剥離したシート部材３４ｂを元の保持シート３４ａに再度貼り付ける際に、その貼り直しが確実に行えるようになる。
【００２８】
本実施形態では、剥離対象の貼付用のシート部材３４ｂとして、粘着性を有したテープを例にとって説明する。かかるテープ（シート部材３４ｂ）は、後述するように半導体チップ等の電子部品と、この電子部品から発生する熱を放散させるための板状部材（「ヒートシンク」もしくは「ヒートスラブ」ともいう。）との間に介在されて使用される。つまり、このテープ３４ｂは、電子部品から発せられた熱をヒートシンクに効率良く伝導させるための放熱促進用部材として機能する。このため、このテープ３４ｂは熱伝導性のよい材料から形成されている。
【００２９】
本実施形態のシート部材剥離装置３０では、剥離対象のテープ３４ｂを保持する保持シートとして、ＰＥＴ（ポリエチレンテレフタレート）、ポリエステル、プラスチック等からなるフィルム材（キャリアフィルム３４ａ）を使用し、その形態として、キャリアフィルム３４ａの一方の面（各プレート３６，４０の面に摺接する側と反対側の面）と、片面に粘着剤が塗布されているテープ３４ｂの該粘着剤が塗布されている側の面とを貼り合わせた２層構造のテープ付キャリアフィルム３４を使用している。あるいは、テープ３４ｂに粘着剤が塗布されていなくても、テープ３４ｂ自身に粘着性をもたせることで、キャリアフィルム３４ａに貼り合わせることも可能である。テープ３４ｂに塗布する粘着剤としては、アクリル系粘着剤、エポキシ系、ポリエステル系などをベースにした粘着剤等を用いることができる。本実施形態では、テープ３４ｂは、帯状のキャリアフィルム３４ａの長手方向に所定の間隔をおいて複数枚粘着されている。かかるテープ付キャリアフィルム３４は、キャリアフィルム３４ａにテープ３４ｂが貼り付けられている側の面を内側にして供給ローラ３２に巻回されて保管されている（図４参照）。
【００３０】
なお、必要に応じてキャリアフィルム３４ａの一方の面（テープ３４ｂの粘着剤が塗布されている側の面に接触する面）に離型剤が塗布されていてもよい。離型剤としては、例えば、高級脂肪酸とその誘導体、高融点ワックス、シリコーン油、ポリビニルアルコール等が用いられる。この離型剤の存在により、キャリアフィルム３４ａからのテープ３４ｂの剥離が行い易くなる。
【００３１】
また、テープ付キャリアフィルム３４の形態としては、上記の２層構造以外に、後述するようにテープ３４ｂを挟んでその両面にキャリアフィルム３４ａと保護フィルム３４ｃが貼り合わされた３層構造のものを使用してもよい。この場合、テープ３４ｂの、キャリアフィルム３４ａに粘着されている側の面と反対側の面にも粘着剤が塗布されており、この反対側の面に透明な保護フィルム３４ｃが粘着されたものを使用することができる。
【００３２】
かかる３層構造のものを使用する場合には、テープ３４ｂの、キャリアフィルム３４ａに粘着される側の面に塗布する粘着剤の粘着力を、保護フィルム３４ｃに粘着される側の面に塗布する粘着剤の粘着力よりも弱くなるように材料を選定する必要がある。このような選定を行うことで、真空吸着ヘッド４４により、キャリアフィルム３４ａから保護フィルム３４ｃと共にテープ３４ｂを確実に剥離（吸着）することができる。
【００３３】
以上のように構成されたシート部材（テープ）剥離装置３０において、供給ローラ３２に巻回されたテープ付キャリアフィルム３４は、図１の装置構成に示したような案内ローラ１４を介して前段の剥離プレート３６に誘導される。この剥離プレート３６では、その先端部に形成された剥離エッジ部３６ａにより、その導入部３６ｂ上を摺接して移動されてくるキャリアフィルム３４ａを曲折してテープ３４ｂをいったん剥離させる。テープ３４ｂがいったん剥離されたキャリアフィルム３４ａは、図示のように案内ローラ３８を介して後段の剥離プレート４０の導入部４０ｂに導かれる。そして、この剥離プレート４０の導入部４０ｂにおいて、いったん剥離されたシート部材３４ｂが元の保持シート３４ａに再度貼り付けられる（シート部材３４ｂの貼り直し）。さらに、剥離プレート４０の先端部に形成された剥離エッジ部４０ａにより、その導入部４０ｂ上を摺接して移動されてくるキャリアフィルム３４ａを曲折して、図示のようにテープ３４ｂの一部をキャリアフィルム３４ａから剥離させる。そして、図２に例示したように、剥離プレート４０の先端部（剥離エッジ部４０ａ）の近傍に配置された真空吸着ヘッド４４により、テープ３４ｂの一部が剥離されたときに当該テープ３４ｂを吸着してキャリアフィルム３４ａから剥離する（吸着保持）。
【００３４】
このように各剥離プレート３６，４０を介してテープ３４ｂが剥離されたキャリアフィルム３４ａは、図１の装置構成に示したような１対の引取りローラ１８によって引き取られ、巻取りローラ４２に巻き取られて回収される。
【００３５】
以上説明したように、本実施形態に係る貼付用シート部材（テープ）の剥離装置３０及びその剥離方法によれば、前段の剥離プレート３６の剥離エッジ部３６ａにより、移動されてくるテープ付キャリアフィルム３４からテープ３４ｂをいったん剥離することで、そのテープ３４ｂのキャリアフィルム３４ａに対する粘着性を低下させている。そして、テープ３４ｂがいったん剥離されたキャリアフィルム３４ａを案内ローラ３８を介して後段のプレート４０の導入部４０ｂに導いて、いったん剥離したテープ３４ｂを元のキャリアフィルム３４ａに貼り付けた後（テープ３４ｂの貼り直し後）、剥離プレート４０の剥離エッジ部４０ａにより、そのテープ付キャリアフィルム３４からテープ３４ｂの一部を剥離し、真空吸着ヘッド４４を介して当該テープ３４ｂを剥離するようにしている。
【００３６】
このように、前段の剥離プレート３６によりキャリアフィルム３４ａからテープ３４ｂをいったん剥離して粘着性を弱めた後、当該テープ３４ｂの貼り直しを行うようにしているので、後段の剥離プレート４０においては、当該テープ３４ｂのキャリアフィルム３４ａからの剥離性が向上する。これによって、キャリアフィルム３４ａにある程度の期間保持されていたテープ３４ｂとキャリアフィルム３４ａとの粘着性が良すぎるために剥がれ難くなっているような場合等でも、テープ３４ｂをキャリアフィルム３４ａから確実に剥離することが可能となる。
【００３７】
また、いったん剥離したテープ３４ｂの貼り直しを行う対象であるキャリアフィルム３４ａは元の剥離されたキャリアフィルム３４ａと同じであり、その貼り直し部分でのキャリアフィルム３４ａの移動速度は同じであるので、剛性のないテープ３４ｂでも伸びるようなこともなく、搬送（移動）させることができる。さらに、剥離したテープ３４ｂの貼り直しを行うのに別の対象物を用意する必要もないので、装置全体の構成を簡素化することができる。
【００３８】
次に、本実施形態に係るシート部材（テープ）剥離装置３０を用いて剥離されたシート部材（テープ）の対象物への貼付の一例について、図５を参照しながら説明する。
【００３９】
先ず、図５（ａ）に示すように、保護フィルム３４ｃと共にテープ３４ｂを吸着保持した真空吸着ヘッド２２は、搬送機構（図示せず）により所定の場所（貼付対象物であるヒートシンク５０（アルミニウム（Ａｌ）からなるもの）が設置されている場所）まで搬送された後、降下してヒートシンク５０上にテープ３４ｂを貼り付ける。
【００４０】
次に、図５（ｂ）に示すように、テープ３４ｂに粘着されている保護フィルム３４ｃを剥離する。これによって、テープ３４ｂの粘着剤が塗布されている側の面が露出する。
【００４１】
次に、図５（ｃ）に示すように、配線記録５２の両面にそれぞれ複数の半導体素子（例えば、ＤＲＡＭ等のメモリ素子）５４が搭載された電子部品５６を、テープ３４ｂの粘着剤が塗布されている側の面に実装する。
【００４２】
上述した実施形態では、貼付用シート部材（テープ３４ｂ）を保持するシートとしてＰＥＴやポリエステル等のフィルム材（キャリアフィルム３４ａ）を使用した場合を例にとって説明したが、保持シートの形態がフィルム材に限定されないことはもちろんである。例えば、グラシン紙等を台紙（保持シート）として使用することも可能である。
【００４３】
また、保持シート（キャリアフィルム３４ａ、グラシン紙等）は、最終的には巻取りローラ４２（図４参照）により回収されて不要となるため、保持シートの属性としては必ずしも絶縁性を有している必要はなく、導電性の材料から形成されていてもよい。
【図面の簡単な説明】
【００４４】
【図１】従来のラベル剥離装置の構成を概略的に示す図である。
【図２】従来のラベル剥離装置の動作（ラベルの剥離、吸着保持、対象物への貼付）を説明するための図である。
【図３】従来のラベル剥離装置における問題点を説明するための図である。
【図４】本発明の一実施形態に係るシート部材剥離装置の構成を模式的に示す断面図である。
【図５】図４の剥離装置を用いて剥離されたシート部材（テープ）の対象物への貼付の一例を説明するための図である。
【符号の説明】
【００４５】
３０…シート部材（テープ）剥離装置、
３２…供給ローラ（移動手段）、
３４…テープ付キャリアフィルム、
３４ａ…キャリアフィルム（保持シート）、
３４ｂ…テープ（貼付用のシート部材）、
３４ｃ…保護フィルム、
３６，４０…剥離プレート、
３６ａ，４０ａ…剥離プレートの先端部（剥離エッジ部）、
３６ｂ，４０ｂ…剥離プレートの導入部、
３８…案内ローラ（移動手段）、
４２…巻取りローラ（移動手段）、
４４…真空吸着ヘッド（吸着手段）、
５０…貼付対象物（ヒートシンク）。
【図１】
2009107668.tif 000003
【図２】
2009107668.tif 000004
【図３】
2009107668.tif 000005
【図４】
2009107668.tif 000006
【図５】
2009107668.tif 000007